(57)【要約】【課題】携帯用端末機で関係基盤情報を出力する装置及び方法を提供する。【解決手段】携帯用端末機で関係基盤情報を出力する方法は、前記関係基盤情報の出力を要請されると、格納データから検索対象の前記関係基盤情報を検索する過程と、検索した前記関係基盤情報を機能別に分類し、分類された機能のアイコンを含むアイコンバーを生成して出力する過程と、検索した前記関係基盤情報のうち前記検索対象のイメージ情報を背景イメージとして出力する過程と、出力した前記アイコンバーからアイコンが選択されると、前記選択されたアイコンの機能によって分類した前記関係基盤情報を提供する過程と、を含んで、検索対象別に関連する情報をまとめて出力できるという効果を有する。【選択図】図１
2008084319.tif 000002
【特許請求の範囲】
【請求項１】
携帯用端末機で関係基盤情報を出力する方法であって、
前記関係基盤情報の出力を要請されると、格納データから検索対象の前記関係基盤情報を検索する過程と、
検索した前記関係基盤情報を機能別に分類し、分類された機能のアイコンを含むアイコンバーを生成して出力する過程と、
検索した前記関係基盤情報のうち前記検索対象のイメージ情報を背景イメージとして出力する過程と、
出力した前記アイコンバーからアイコンが選択されると、前記選択されたアイコンの機能によって分類した前記関係基盤情報を提供する過程と
を含むことを特徴とする携帯用端末機で関係基盤情報を出力する方法。
【請求項２】
前記関係基盤情報を検索する過程の前に、
前記格納データを前記関係基盤情報で分類できるように格納し、前記関係基盤情報で分類できない前記格納データは、分類識別子を含めて格納する過程をさらに含むことを特徴とする請求項１に記載の携帯用端末機で関係基盤情報を出力する方法。
【請求項３】
前記格納データは、前記検索対象と関連して前記携帯用端末機で管理する全てのデータであって、通話記録、短文メッセージ、マルチメディアメッセージ、イメージ、動画像またはブルーツース連結情報を含むことを特徴とする請求項２に記載の携帯用端末機で関係基盤情報を出力する方法。
【請求項４】
前記背景イメージとして出力する過程は、
前記検索対象の背景イメージとして既設定のイメージを出力することを特徴とする請求項１に記載の携帯用端末機で関係基盤情報を出力する方法。
【請求項５】
前記背景イメージとして出力する過程は、
前記検索対象の背景イメージとして多数のイメージが既に設定された場合、前記背景イメージとして既設定の多数のイメージを一定時間間隔で変更しながら出力することを特徴とする請求項１に記載の携帯用端末機で関係基盤情報を出力する方法。
【請求項６】
前記背景イメージとして出力する過程は、
前記検索部で検索した前記関係基盤情報である前記検索対象のイメージ情報のうちランダムに選択したイメージを出力することを特徴とする請求項１に記載の携帯用端末機で関係基盤情報を出力する方法。
【請求項７】
前記背景イメージとして出力する過程は、
前記検索部で検索した前記関係基盤情報である前記検索対象のイメージ情報のうち、前記背景イメージとして出力するイメージを一定時間間隔でランダムに選択し、前記選択したイメージを出力することを特徴とする請求項１に記載の携帯用端末機で関係基盤情報を出力する方法。
【請求項８】
前記アイコンバーを生成して出力する過程は、
前記アイコンバーを生成する時、前記アイコンバーに含まれている前記アイコンを使用頻度によって順番に整列することを特徴とする請求項１に記載の携帯用端末機で関係基盤情報を出力する方法。
【請求項９】
携帯用端末機で関係基盤情報を出力する方法であって、
前記関係基盤情報の出力を要請されると、格納データから検索対象の前記関係基盤情報を検索する過程と、
検索した前記関係基盤情報を機能別に分類し、分類された機能のリストを出力する過程と、
出力した前記リストから一つの機能が選択されると、前記選択された機能によって分類した前記関係基盤情報を提供する過程と
を含むことを特徴とする携帯用端末機で関係基盤情報を出力する方法。
【請求項１０】
携帯用端末機で関係基盤情報を出力する装置であって、
前記関係基盤情報を出力する表示部と、
格納データを格納するメモリ部と、
前記格納データから検索対象の前記関係基盤情報を検索する検索部と、
前記検索部で検索した前記関係基盤情報を機能別に分類し、分類された機能のアイコンをバー形態のアイコンバーとして生成するアイコンバー生成部と、
前記検索部で検索した前記関係基盤情報のうち、前記検索対象のイメージ情報を背景イメージとして出力する背景イメージ処理部と、
前記検索対象の前記関係基盤情報の出力要請を感知すると、前記検索部を利用して前記検索対象の前記関係基盤情報を検索し、前記アイコンバー生成部を利用して生成した前記アイコンバーを前記表示部に出力し、前記背景イメージ処理部を利用して前記背景イメージを前記表示部に出力し、前記アイコンバーからアイコンが選択されると、前記選択されたアイコン機能によって分類した関係基盤情報を出力するように制御する関係基盤処理部と
を含むことを特徴とする携帯用端末機で関係基盤情報を出力する装置。
【請求項１１】
前記メモリ部に、前記格納データを前記関係基盤情報で分類できるように格納し、前記関係基盤情報で分類できない前記格納データは分類識別子を含めて前記メモリ部に格納するように制御する格納管理部をさらに含むことを特徴とする請求項１０に記載の携帯用端末機で関係基盤情報を出力する装置。
【請求項１２】
前記格納データは、前記検索対象と関連して前記携帯用端末機で管理する全てのデータであって、通話記録、短文メッセージ、マルチメディアメッセージ、イメージ、動画像またはブルーツース連結情報を含むことを特徴とする請求項１１に記載の携帯用端末機で関係基盤情報を出力する装置。
【請求項１３】
前記背景イメージ処理部は、前記検索対象の背景イメージとして既設定のイメージを出力することを特徴とする請求項１０に記載の携帯用端末機で関係基盤情報を出力する装置。
【請求項１４】
前記背景イメージ処理部は、前記検索対象の背景イメージとして多数のイメージが既に設定された場合、前記背景イメージとして既設定の多数のイメージを一定時間間隔で変更しながら出力することを特徴とする請求項１０に記載の携帯用端末機で関係基盤情報を出力する装置。
【請求項１５】
前記背景イメージ処理部は、前記検索部で検索した前記関係基盤情報である前記検索対象のイメージ情報のうちランダムに選択したイメージを出力することを特徴とする請求項１０に記載の携帯用端末機で関係基盤情報を出力する装置。
【請求項１６】
前記背景イメージ処理部は、前記検索部で検索した前記関係基盤情報である前記検索対象のイメージ情報のうち前記背景イメージとして出力するイメージを一定時間間隔でランダムに選択し、前記選択したイメージを出力することを特徴とする請求項１０に記載の携帯用端末機で関係基盤情報を出力する装置。
【請求項１７】
前記アイコンバー生成部は、前記アイコンバーを生成する時、前記アイコンバーに含まれている前記アイコンを使用頻度によって順番に整列して生成することを特徴とする請求項１０に記載の携帯用端末機で関係基盤情報を出力する装置。
【請求項１８】
携帯用端末機で関係基盤情報を出力する装置であって、
前記関係基盤情報を出力する表示部と、
格納データを格納するメモリ部と、
前記格納データから検索対象の前記関係基盤情報を検索する検索部と、
前記検索部で検索した前記関係基盤情報を機能別に分類し、分類された機能をリストとして生成するリスト生成部と、
前記検索対象の前記関係基盤情報の出力要請を感知すると、前記検索部を利用して前記検索対象の前記関係基盤情報を検索し、前記リスト生成部を利用して生成した前記リストを前記表示部に出力し、前記リストから機能が選択されると、前記選択された機能機能によって分類した関係基盤情報を出力するように制御する関係基盤処理部と
を含むことを特徴とする携帯用端末機で関係基盤情報を出力する装置。
【発明の詳細な説明】
【技術分野】
【０００１】
本発明は、携帯用端末機で関係基盤情報を出力する装置及び方法に関し、特に、携帯用端末機に格納された多様な情報を機能別にまとめて出力せず、人を中心に検索対象の関係基盤情報を検索して出力する装置及び方法に関する。
【背景技術】
【０００２】
近年、移動通信端末機または個人携帯情報端末機（以下、ＰＤＡとする）などの携帯用端末機が多く使用されているが、かかる携帯用端末機は、単に電話通話またはスケジュール管理などの目的だけでなく、デジタルカメラ機能によるイメージあるいは動画像の撮影、衛星放送の視聴、文書の編集、ゲーム、ナビゲーション、音楽聴取、短文メッセージ及び撮影したイメージあるいは動画像を添付したマルチメディアメッセージの送受信など、その活用範囲が次第に大きくなっている。このように、携帯用端末機は様々な機能を有し、格納する情報の種類はますます多くなっている。
【０００３】
一般に、携帯用端末機で提供する機能は、各機能が有する格納情報を機能別に分類して格納しており、情報を検索する時も、機能別に出力している。例えば、通話記録を検索する場合、通話記録を受信電話、発信電話、不在中電話などに区分して出力しているが、その記録を人別に区分して出力してはいない。これは、通話記録だけでなく、短文メッセージ、マルチメディアメッセージ、写真、動画像なども同様である。
【０００４】
このように、携帯用端末機の機能別に格納された情報を検索するため、例えば、一人の通話記録と短文メッセージ送受信情報と写真などを検索しようとする時、検索対象の関連情報を探すためには、機能別にそれぞれ検索しなければならない不便さがあった。
【０００５】
したがって、本発明では、検索方法として機能別検索方法だけでなく、検索対象の関係基盤を考慮した検索とその情報の出力方法が要求される。
【発明の開示】
【発明が解決しようとする課題】
【０００６】
本発明は、上述の問題点に鑑みてなされたもので、その目的は、携帯用端末機で関係基盤情報を出力する装置および方法を提供することにある。
本発明のもう一つの目的は、携帯用端末機に格納された様々な情報から検索対象の連関関係を基盤とした関係基盤情報を検索する装置及び方法を提供することにある。
本発明のもう一つの目的は、携帯用端末機に格納された様々な情報から検索対象の連関関係を基盤とした関係基盤情報を検索し、検索した関係基盤情報を出力する装置及び方法を提供することにある。
本発明のもう一つの目的は、携帯用端末機で検索した検索対象の関係基盤情報を機能別に分類して出力する装置及び方法を提供することにある。
本発明のもう一つの目的は、携帯用端末機で関係基盤情報を出力する時、背景イメージとして検索対象の写真を出力する装置及び方法を提供することにある。
【課題を解決するための手段】
【０００７】
上記目的を達成すべく、本発明の携帯用端末機で関係基盤情報を出力する方法は、前記関係基盤情報の出力を要請されると、格納データから検索対象の前記関係基盤情報を検索する過程と、検索した前記関係基盤情報を機能別に分類し、分類された機能のアイコンを含むアイコンバーを生成して出力する過程と、検索した前記関係基盤情報のうち前記検索対象のイメージ情報を背景イメージとして出力する過程と、出力した前記アイコンバーからアイコンが選択されると、前記選択されたアイコンの機能によって分類した前記関係基盤情報を提供する過程と、を含むことを特徴とする。
【０００８】
また、上記目的を達成すべく、本発明の携帯用端末機で関係基盤情報を出力する方法は、前記関係基盤情報の出力を要請されると、格納データから検索対象の前記関係基盤情報を検索する過程と、検索した前記関係基盤情報を機能別に分類し、分類された機能のリストを出力する過程と、出力した前記リストから一つの機能が選択されると、前記選択された機能によって分類した前記関係基盤情報を提供する過程と、を含むことを特徴とする。
【０００９】
また、上記目的を達成すべく、本発明の携帯用端末機で関係基盤情報を出力する装置は、前記関係基盤情報を出力する表示部と、格納データを格納するメモリ部と、前記格納データから検索対象の前記関係基盤情報を検索する検索部と、前記検索部で検索した前記関係基盤情報を機能別に分類し、分類された機能のアイコンをバー形態のアイコンバーとして生成するアイコンバー生成部と、前記検索部で検索した前記関係基盤情報のうち、前記検索対象のイメージ情報を背景イメージとして出力する背景イメージ処理部と、前記検索対象の前記関係基盤情報の出力要請を感知すると、前記検索部を利用して前記検索対象の前記関係基盤情報を検索し、前記アイコンバー生成部を利用して生成した前記アイコンバーを前記表示部に出力し、前記背景イメージ処理部を利用して前記背景イメージを前記表示部に出力し、前記アイコンバーからアイコンが選択されると、前記選択されたアイコン機能によって分類した関係基盤情報を出力するように制御する関係基盤処理部と、を含むことを特徴とする。
【００１０】
また、上記目的を達成すべく、本発明の携帯用端末機で関係基盤情報を出力する装置は、前記関係基盤情報を出力する表示部と、格納データを格納するメモリ部と、前記格納データから検索対象の前記関係基盤情報を検索する検索部と、前記検索部で検索した前記関係基盤情報を機能別に分類し、分類された機能をリストとして生成するリスト生成部と、前記検索対象の前記関係基盤情報の出力要請を感知すると、前記検索部を利用して前記検索対象の前記関係基盤情報を検索し、前記リスト生成部を利用して生成した前記リストを前記表示部に出力し、前記リストから機能が選択されると、前記選択された機能機能によって分類した関係基盤情報を出力するように制御する関係基盤処理部と、を含むことを特徴とする。
【発明の効果】
【００１１】
本発明は、携帯用端末機で検索対象と関連する関係基盤情報を検索し、検索した関係基盤情報を機能別に分類して出力する装置及び方法に関し、携帯用端末機で検索対象別に関連する情報をまとめて出力することにより、使用者に便宜を提供する効果がある。
【発明を実施するための最良の形態】
【００１２】
以下、本発明の好ましい実施の形態を、添付図面に基づき詳細に説明する。そして、本発明を説明するにおいて、関連した公知機能又は構成に対する具体的な説明が本発明の要旨を不明にすると判断される場合には、その詳細な説明を省略すべきでる。
【００１３】
本発明は、携帯用端末機で検索対象と関連する関係基盤情報を検索し、検索した関係基盤情報を機能別に分類して出力する装置及び方法に関する。
【００１４】
図１は、本発明の好ましい一実施形態に係る関係基盤情報を検索して出力する携帯用端末機の構成を示す図である。図１に示すように、本実施形態の携帯用端末機は、制御部１００、カメラ部１０２、表示部１０４、メモリ部１０６、通信部１０８、格納管理部１１０、検索部１１２、アイコンバー生成部１１４、背景イメージ処理部１１６及び関係基盤処理部１１８を含んで構成される。
【００１５】
前記カメラ部１０２は、前記制御部１００の制御により、ＣＣＤ（Charge Coupled Device）上に入射した光学像を光電変換することで、イメージまたは動画像フレームを撮影する。
【００１６】
前記表示部１０４は、前記端末機の動作中に発生する状態情報（またはインジケータ）、制限された数字と文字、動画像（moving picture ）及び静止画像（still picture）などをディスプレイし、前記制御部１００の制御によって関係基盤情報を出力する。前記表示部１０４としては、カラー液晶ディスプレイ装置（ＬＣＤ）を使用することができる。
【００１７】
前記メモリ部１０６は、携帯用端末機の全般的な動作を制御するためのプログラムと、動作中に発生するデータを一時格納し、格納用データ（電話番号、短文メッセージ、マルチメディアメッセージ、写真、動画像データなど）を格納する。
【００１８】
前記通信部１０８は、受信の際には、アンテナを介して受信される無線周波数信号をダウンさせて受信信号を逆拡散（despreading）及びチャネル復号（channel decoding）し、送信の際には、データをチャネルコーディング（channel coding）及び拡散（spreading）し、周波数をアップさせて、アンテナを介して送信する。
【００１９】
前記格納管理部１１０は、格納データを関係基盤情報で分類できるように格納する。短文メッセージ、マルチメディアメッセージ、通話記録、写真及び動画像などを格納する時、関係基盤を検索できるように設定して格納する。すなわち、短文メッセージ、マルチメディアメッセージ、通話記録は、その情報だけで対象との関係を確認できるが、写真と動画像の場合には対象との関係を確認できないので、関係のある対象が電話帳に存在する場合、その対象を確認できるように、ファイル名に分類識別子を含めて格納する。
【００２０】
また、前記格納管理部１１０は、写真を格納する時、顔認識技法を利用することで、既に格納されている対象のある写真と比較して、関係のある対象を自動的に検索し確認できるように格納することができる。
【００２１】
前記検索部１１２は、前記関係基盤処理部１１８の要請に応じて、前記メモリ部１０６で検索対象と関連する関係基盤情報を検索する。
【００２２】
前記アイコンバー生成部１１４は、前記検索部１１２で検索した関係基盤情報を機能別に分類し、分類された機能のアイコンをバー形態で生成して、前記表示部１０４に出力する。この時、アイコンは、使用頻度によって順番に整列して生成する。
【００２３】
前記背景イメージ処理部１１６は、前記関係基盤処理部１１８の要請に応じて、前記検索部１１２で検索した関係基盤情報のうち写真情報を背景イメージとして出力する。前記背景イメージとして出力する写真は、前記検索部１１２で検索した写真情報のうち背景イメージと既に設定したイメージであるか、ランダムに選択したイメージである。前記背景イメージとして出力する写真は、一つ以上であることが可能で、二つ以上である場合、スライドショーにおいて一定時間間隔で変更しながら出力することができる。
【００２４】
前記関係基盤処理部１１８は、関係基盤情報の出力要請を感知して、前記検索部１１２を利用して検索対象の関係基盤情報を検索し、前記アイコンバー生成部１１４を利用して生成したアイコンバーを前記表示部１０４に出力し、前記背景イメージ処理部１１６を利用して背景イメージを前記表示部１０４に出力し、前記アイコンバーからアイコンが選択されると、そのアイコン機能によって分類した関係基盤情報を出力するように制御する。
【００２５】
前記制御部１００は、前記格納管理部１１０、前記検索部１１２、前記アイコンバー生成部１１４、前記背景イメージ処理部１１６及び前記関係基盤処理部１１８を制御する。すなわち、前記制御部１００は、前記格納管理部１１０、前記検索部１１２、前記アイコンバー生成部１１４、前記背景イメージ処理部１１６及び前記関係基盤処理部１１８の機能を行うことができる。本実施形態でこれを別途に構成して図示したのは、各機能を区別して説明するためである。したがって、実際に製品を具現する場合、これら全てを制御部１００で処理するように構成することもでき、これらのうち一部だけを前記制御部１００で処理するように構成することもできる。
【００２６】
以下、図１の携帯用端末機で出力する関係基盤情報の出力画面を、添付の図面を参照して説明する。図２は、本発明の好ましい一実施形態に係る携帯用端末機で出力する関係基盤情報のうち、通話記録の出力画面を示す図である。
【００２７】
図２に示すように、出力画面は、検索対象との通話記録を検索するための画面であって、アイコンバー２００と通話記録を分類した不在中通話記録、受信通話記録、発信通話記録、全ての通話記録及び、通話時間情報を選択するためのリストと背景イメージ２１０を出力した。この時、前記アイコンバー２００において、検索対象の関係基盤情報の種類には、順番に短文メッセージ、動画像、写真、通話記録、マルチメディアメッセージ及びブルーツース情報が存在する。また、整列順番は各機能の使用頻度を示す。
【００２８】
以下、前記のように構成された本発明に係る携帯用端末機で関係基盤情報を検索して出力する方法を、添付の図面を参照して説明する。
【００２９】
図３は、本発明の好ましい一実施形態に係る携帯用端末機で関係基盤情報を検索して出力する過程を示すフローチャートである。図３に示すように、本発明の携帯用端末機は、ステップ３００で、格納するデータが発生すると、前記データをそれぞれの対象の関係基盤情報で分類できるように格納し、ステップ３０２に進行して、関係基盤検索イベントの発生有無を感知する。感知結果、前記関係基盤検索イベントが発生すると、前記携帯用端末機はステップ３０４に進行して、検索する対象のリストである検索対象リストを出力する。ここで、前記検索対象リストは、一種の電話帳（phonebook）に格納された人たちのリストである。
【００３０】
以降、前記携帯用端末機は、ステップ３０６に進行して、前記検索対象リストから検索対象を選択され、ステップ３０８に進行して、前記検索対象と関連する情報である関係基盤情報を検索し、ステップ３１０に進行して、前記ステップ３０８で検索した関係基盤情報をその機能別に分類し、分類された機能のアイコンをバー形態で生成して出力する。この時、前記アイコンバーに含まれたアイコンは、検索対象との使用頻度によって順番に整列して出力される。
【００３１】
以降、前記携帯用端末機は、ステップ３１２に進行して、検索した関係基盤情報のうち写真情報を背景イメージとして出力する。前記背景イメージの出力は、検索対象の背景イメージが既に設定されている場合に、既設定のイメージを出力し、ランダムに出力する場合、検索した検索対象のイメージをランダムに選択して出力する。また、前記ステップ３１２で、一つのイメージだけを出力することもできるが、多数のイメージを一定時間間隔で変更しながらスライドショーで出力することもできる。
【００３２】
以降、前記携帯用端末機は、ステップ３１４に進行して、前記アイコンバーからアイコンが選択されるかを確認する。確認結果、アイコンが選択されたら、前記携帯用端末機はステップ３１６に進行して、前記選択したアイコンの機能によって前記検索した関係基盤情報を提供する。
【００３３】
請求項の範囲内にありながらこのような実施形態を変形することができる様々な方式が確かにある。言い換えれば、請求項の範囲から逸脱せず本発明を実施することができる他の多くの方式があり得る。
【００３４】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００３５】
【図１】本発明の好ましい一実施形態に係る関係基盤情報を検索して出力する携帯用端末機の構成を示す図である。
【図２】本発明の好ましい一実施形態に係る携帯用端末機で出力する関係基盤情報のうち通話記録の出力画面を示す図である。
【図３】本発明の好ましい一実施形態に係る携帯用端末機で関係基盤情報を検索して出力する過程を示すフローチャートである。
【符号の説明】
【００３６】
１００  制御部
１０２  カメラ部
１０６  メモリ部
１１２  検索部
１１４  アイコンバー生成部
１１８  関係基盤処理部
【図１】
2008084319.tif 000003
【図３】
2008084319.tif 000004
【図２】
2008084319.tif 000005